(57)【要約】本発明は、第１のシート（１）、中央部（２）、および第２のシート（４）を含む、花束または鉢植えを展示するための装置に関し、前記中央部（２）は第１のシート（１）と第２のシート（４）との間に挿入されている。前記第１のシート（１）は、前記第２のシート（４）の上に重ねられている。前記装置は、中央部が、中心体（２Ａ）およびその中心体（２Ａ）に堅固に連結された少なくとも２本の折り畳み式アーム（３）を含むこと、ならびに、その装置を立てる際に、中心体（２Ａ）と少なくとも２本の折り畳み式枝状部（３）との間に形成される角度が、花束を展示するための装置の場合には９０°未満であるか、または鉢植えを展示するための装置の場合には９０°以上のいずれかであることを特徴とする。【選択図】図１２
2014514916.tif 000002
【特許請求の範囲】
【請求項１】
第１のシート（１）と、中央部（２）と、第２のシート（４）とを備え、前記中央部（２）が前記第１のシート（１）と前記第２のシート（４）との間に挿入されており、前記第１のシート（１）が前記第２のシート（４）に重ねられている、花束または鉢植えを展示するための装置であって、
前記中央部が中心体（２Ａ）と、前記中心体（２Ａ）に固定された少なくとも２本の折り畳み式枝状部（３）とを含み、
前記装置に容積を与えると、前記中心体（２Ａ）と前記少なくとも２本の折り畳み式枝状部（３）との間で形成される角度が、
花束を展示するための装置の場合は９０°未満であるか、または
鉢植えを展示するための装置の場合は９０°以上のいずれかである
ことを特徴とする装置。
【請求項２】
前記少なくとも２本の折り畳み式枝状部（３）が下端部（３Ａ）と上端部（３Ｂ）とを有し、前記下端部（３Ａ）が前記中心体（２Ａ）に固定されており、かつ前記上端部（３Ｂ）が、前記中心体（２Ａ）から最も遠い、前記少なくとも２本の枝状部（３）の部分として画定されており、
前記下端部（３Ａ）が前記上端部（３Ｂ）よりも幅が広い
ことを特徴とする、請求項１に記載の装置。
【請求項３】
前記少なくとも２本の枝状部（３）が台形状であることを特徴とする、請求項１に記載の装置。
【請求項４】
前記中央部が少なくとも８本の折り畳み式枝状部（３）を含むことを特徴とする、請求項１に記載の装置。
【請求項５】
前記中心体（２Ａ）が多角形または円形であることを特徴とする、請求項１に記載の装置。
【請求項６】
前記中央部が非剛性および非耐水性の材料で作製されていることを特徴とする、請求項１に記載の装置。
【請求項７】
前記第１のシート（１）および前記第２のシート（４）が半透明または非半透明の耐水性シートであることを特徴とする、請求項１に記載の装置。
【請求項８】
前記第１のシート（１）および前記第２のシート（４）が半透明または非半透明の非耐水性シートであることを特徴とする、請求項１に記載の装置。
【請求項９】
前記枝状部（３）が図柄で覆われ得ることを特徴とする、請求項１に記載の装置。
【請求項１０】
前記中央部（２）のためのハウジング（６）を提供するように、前記第２のシート（４）が、前記第１のシート（１）に一部溶着（５）されていることを特徴とする、請求項１に記載の装置。
【請求項１１】
前記第２のシート（４）が、前記中央部（２）の周囲全体に沿って、前記第１のシート（１）に完全に溶着（５）されていることを特徴とする、請求項１に記載の装置。
【請求項１２】
前記装置に容積を与えると、前記第１のシート（１）および前記第２のシート（４）が前記中央部（２）の前記少なくとも２本の枝状部（３）に沿って持ち上げられて花の茎を囲み、全体が固定具（８）で適切な位置に保持されていることを特徴とする、請求項１に記載の装置。
【請求項１３】
少なくとも１本の把持柄（９）が、前記第１のシート（１）および前記第２のシート（４）への取付けによって、適切な位置に保持されていることを特徴とする、請求項１に記載の装置。
【請求項１４】
ワイヤークランプ（１０）が、少なくとも１本の把持柄（９）に取り付けられ、かつ、熱溶着（５）によって前記多角形中央部（２）と適切な位置で保持されていることを特徴とする、請求項１３に記載の装置。
【発明の詳細な説明】
【技術分野】
【０００１】
本発明は、請求項１に記載の、花束および鉢植えを展示するための装置に関する。
【背景技術】
【０００２】
欧州特許第０８２８４４６号（Ｃｈａｒｒｉｎ）は、剛性円錐支持および単一の密封（耐水）シートを含む花束を展示するための装置を記載している。
【０００３】
フランス特許第２８９７０８３２号（Ｒｉｃｃｉ）は、多角形中央部および、この中央部から取り外され得る、少なくとも１本の堅い接続された枝状部を含む花器を記載している。
【０００４】
ドイツ特許第１０３０３１９号は、第１のシート、中央部および第２のシートを含む花器を記載しており、中央部は何らの枝状部も含まず、シートの間に含まれているが、その２枚のシートは重ねられていない。
【０００５】
米国特許第５，７８１，９８１号は、図２Ａ、図２Ｂ、図２Ｃおよび図３Ｂに、第１のシート、紐（ｓｔｒｉｎｇ）および第２のシートを含む植木鉢を展示するための装置を開示しており、その紐は、何らの枝状部も含まない。
【０００６】
英国特許出願公開公報第２，３７８，１２７号は、第１のシート、紐および第２のシートを含む花束を展示するための装置を開示しており、その紐は何らの枝状部も含まない。
【０００７】
フランス特許第８５１６４４８号は、白紙のボール紙によって、および単一の柔軟な密封シートによって形成された容器を開示し、白紙は丸い中央部および６角星のように広がる蓋を有し、その先の端部は、それぞれ同じ幅である。本発明は、中央の星形部が２枚の重ねられたシートの間に挿入されているという点で、フランス特許第８５１６４４８号とは異なる。
【０００８】
国際公開第０２／２０３７２号は、花束用の可搬式パッケージ装置を開示している。
【発明の概要】
【発明が解決しようとする課題】
【０００９】
本発明は、花束の茎を交差させて、その全体を１枚または２枚の密封（耐水）シートで包装すること、および／または市販の花束支持物（ｕｎ  ｓｕｐｐｏｒｔ  ａ  ｂｏｕｑｕｅｔｓ）を使用すること、および／または鉢を包装することという単純な事実以外に何らの支援もなく、生花販売業者が花束を安定できるようにすることを意図する。
【００１０】
本発明は、花束および鉢のカスタマイズを可能にする。本発明は、低坪量（好ましくは耐水でない）の上質ボール紙の挿入物（２）を使用することで、
−花束を固定するために茎を交差させ、何らの支持物も使用せずに、また花束の作成に対するアプローチを大幅に変更することなく、安定した花束を作成することを望む生花販売業者が、
−および／または花束支持物を使用する生花販売業者が、
−および／または鉢植えにおいて
容易に利用可能な包装に関する解決策を形成する。
【発明の効果】
【００１１】
本発明は、中央部上または多角形中央部（２）の少なくとも１つの枝状部（３）上のいずれかに直接、多角形中央部（２）の図柄による特定のラベル付けを容易にする。この装置は、例えば、集中水平読出し（ｌｅｃｔｕｒｅ  ｈｏｒｉｚｏｎｔａｌｅ  ｃｅｎｔｒｅｅ）によりレジで読取り可能な印刷されたバーコードによって、生花販売業者の顧客に対して（デジタルまたはオフセットの）高品質なコミュニケーションを提供するという利点を有する。その図柄は、多角形中央部上にテキストまたはロゴを印刷すること、および密封（耐水）シート上に直接印刷することでは不可能である、色の組合せを無限に増加させることを可能にする。
【図面の簡単な説明】
【００１２】
【図１】平らに置かれた第１のシート（１）を示す。
【図２】平らに置かれた多角形中央部（２）を示しており、それは、中心体（２Ａ）、この多角形中央部に固定された少なくとも２本の枝状部（３）（この図では８本の枝状部）を含み、前記枝状部（３）は下端部（３Ａ）および上端部（３Ｂ）を有し、下端部（３Ａ）は中心体（２Ａ）に固定され、上端部（３Ｂ）は、中心体（２Ａ）から最も遠い枝状部（３）の部分として画定されており、下端部（３Ａ）は上端部（３Ｂ）より幅が広い。
【図３】第１のシート（１）の上に置かれた多角形中央部（２）を示す。
【図４】第１のシート（１）および第２のシート（４）の間に挿入された多角形中央部（２）を示す。平らに置かれた第２のシート（４）は、平らまたは位置合わせされた第１のシート（１）に対して交差されているか、またはずらされている。
【図５】第１のシート（１）および第２のシート（４）の間に挿入された多角形中央部（２）を示しており、第２のシートは第１のシートに熱溶着（５）され、熱溶着（５）は多角形中央部（２）を囲んでいる。
【図６】第１のシート（１）に対して交差もしくはずらされている（平らに置かれると、星形が得られる）か、または位置合わせされている第２のシート（４）を示す。
【図７】図６の一部熱溶着（５）された装置を示し、多角形中央部（２）を受け入れるためのハウジング（６）を形成する。
【図８】多角形中央部（２）が、一部熱溶着（５）されたハウジング（６）の内部の第１のシート（１）と第２のシート（４）との間にどのように挿入されるかを示す。
【図９】一部熱溶着（５）されたハウジング（６）の内部に挿入された多角形中央部（２）を示す。
【図１０】第２のシート（４）上であって、多角形中央部（２）の中央に置かれた花束（７）を示す。
【図１１】花束（７）を包装する本発明の装置、すなわち、図１０の装置に容積を与えることを示し、花束（７）または鉢植えの茎を包むために該装置が起こされる。
【図１２】最終的な装置を示しており、容積が与えられ、装置の上部に固定具（ｌｉｅｎ）（８）で取り付けられている。
【図１３】２枚のシート（１および４）に取り付けられた２本の把持柄（９）、ならびに両方の把持柄（９）の間を通り、第１のシート（４）と第２のシート（４）との間に熱溶着（５）によって適切な位置に保持され、多角形の中央部（２）を囲んでいる、ワイヤークランプを有する、本発明の装置を示す。
【図１４】図１３の装置を上から見た図であり、両方のシート（１および４）の間に熱溶着（５）によって保持され、多角形の中央部（２）を囲んでいるワイヤークランプ（１０）を示す。
【図１５】ワイヤークランプのない、図１３の装置を示す。
【図１６】把持柄、花束を有し、装置を花束の茎の周囲の適切な位置に保持するワイヤークランプ（１０）または把持柄（９）を有する、図１４および図１５の装置に容積を与えた図を示す。
【図１７】中央部（２）が、シート（１）の下、すなわちこのシート（１）の外側に、単独でその周辺が接着して接合されているか、または溶着されていることを示す。
【図１８】鉢植えの周囲への適用を示す。
【図１９】鉢植えの周囲を固定具（８）で固締することにより、取付けた図を示す。
【図２０】２本の把持柄およびワイヤークランプをさらに含む、図１９の装置を示す。
【発明を実施するための形態】
【００１３】
本発明の一実施形態は、１枚または２枚の密封（耐水）シート（１および４）、上質なボール紙の多角形または円形の中央部（２）（クロス（ｃｒｏｉｓｉｌｌｏｎ））から成り、人間によって外側から見られるように、後者の見える面上に印刷が施されている。多角形または円形の中央部（２）（クロス）は、印刷面を第１の透明（３）シート（１）の上にして置かれる。第２の透明シート（４）は、第１の透明（または着色した）シートに対して、位置合わせされるか、または交差させて置かれる。２枚のシート全体は、多角形（クロス）の中央部の周辺で熱溶着（５）によって溶着される。溶着技法には、熱溶着、高周波溶着、パルス溶着、および超音波溶着技法を含み得る。クロスも、密封（耐水）シートに接着して接合または溶着（Ｄ）され得、それにより生成された保水容器または鉢（図２０）が戸外で使用され得る。好ましくは、クロスが包装の外側、すなわち、水または植木鉢と直接接触していないシートの面上にある。両方のシート（その間にクロスを滑り込ませる）を一緒に溶着するという点に関連した技術的効果は、シートのわずかな厚みにも関わらず、花束に高い安定性を提供することを可能にする。
【００１４】
シートの厚さの範囲は、０．１ｍｍ〜１ｍｍの間であり、使用される材料は、プラスチックシートである。１枚または２枚のシートに溶着されたクロスは、中央部のより良い安定性および剛性を提供する。
【００１５】
両方のシートが透明であるか、もしくは色が付いているかのいずれかであり得るか、または、一方が透明で、他方は色が付いていてもよい。
【００１６】
両方のシートは、多角形中央部を挿入するためのハウジング（６）を生成するように、３辺で溶着され得る（図７）。従って、生花販売業者は、多角形中央部をこのハウジング内に収容し得る。これらの溶着の革新的な態様は、それらが、固定具の高さで、常に水位より上に配置され、それにより溶着の信頼性が高められて、完璧な密封が保証されることに留意すべきである。
【００１７】
クロスの周辺での完全な溶着という単純な事実は、単純な引き裂きにより、印刷されたシートをポリプロピレンシートから分離することを可能にし、従って、環境的な利点を提供する。多角形中央部（クロス）をハウジング（６）内に収容可能であるという事実は、制御された選択分類（再利用）の際に、この多角形中央部（クロス）を除去可能にする。
【００１８】
従来技術の装置では、様々なコンポーネントの分離が可能でなかったか、または困難を伴ってのみ可能であり、これらの装置は多くの場合、再利用には適しておらず、また、通信手段の目的のためにも適していない。
【００１９】
花束を展示するためのこの新規な装置の組立ては、その中央に花束を配置し、例えば、その装置に容積を与えるために、装置全体をテーブルに作製された穴に押し込むことにより、シートを花束および／または鉢植えの茎に沿って移動させることによって達成される。このようにして、花束（包装）を展示するための新規の装置は、固定具（８）（例えば、リボン）をこの装置の上端に取り付けることにより取得される（この固定具は、両方のシートおよび花の茎を保持する）。多角形中央部の枝状部は、完全に中心に配置されて、３６０°に渡って見ることおよび読むことができるので、潜在的な利用者によって見られ得る図柄（図１６）を表示するが、それは、折り目をつけ、偶然に折られて、この位置でその読取りを非常に困難および不明確にする、内部支持物の有無に関わらず、一般に使用されるシート上への直接の印刷によっても提供されない。
【００２０】
鉢植えを展示するためのこの新規の装置の組立ては、その中央に鉢を配置し、例えば、その装置に容積を与えるために、装置全体をテーブルに作製された穴に押し込むことにより、シートを鉢の壁に沿って上に移動させることによって達成される。従って、鉢植え（包装）を展示するための新規の装置は、固定具（８）をこの装置の上端に取り付けることにより取得される（この固定具は、両方のシートおよび鉢植えを保持する）。多角形中央部の枝状部は、完全に中心に置かれ、３６０°に渡って見ることおよび読むことができるので、潜在的な利用者によって見られ得る図柄（図１２および図１６）を表示するが、それは、折り目をつけ、偶然に折られて、この位置でその読取りを非常に困難および不明確にする、内部支持物の有無に関わらず、一般に使用されるシート上への直接の印刷によっても提供されない。
【００２１】
別の実施形態では、ワイヤークランプ（１０）も溶着された両方のシートの間に組み込まれ得（図１４）、それは、その溶着ビード（５）の間を通って、けん引力によりバッグが閉じられるようになる。これは、固定具（または収縮部）の高さで密封（耐水）シートを貫通する必要がないことを可能にし、従って、起こり得る水漏れを回避する。把持柄（９）は、装置の上端部から大きく突き出、それ故、装置の下部からの漏れも起こらない。把持柄は、装置の上部に取り付けられる。
【００２２】
第１のシート、多角形中央部、および第２のシートを備え、中央部が第１のシートと第２のシートとの間に挿入されることを特徴とする花束または鉢植えを展示するための装置が、請求項１で定義される。
【００２３】
花束および／または鉢植えを展示するための装置は、単一シート、多角形中央部も備え得、中央部が１つの面上であって、かつその外側部に溶着されるか、または接着して接合されることを特徴とする。
【００２４】
第１の実施形態では、中央部は、剛性材料または非剛性材料で作成され得る。第１のシートおよび／または単一シート、第２のシートの中央部は、任意の容積を与える前は、平面である。単一シートならびに／または第１のシートおよび第２のシートは、半透明かつ防水であり得る。単一シートならびに／または第１のシートおよび第２のシートは、半透明のことも、半透明でないこともあり得、かつ防水ではない可能性がある。中央部は、防水のことも、防水でないこともあり得、また、耐水性のことも、耐水性でないこともあり得る。中央部は、図柄で覆われ得る。中央部は、この中央部に固定された少なくとも１本の枝状部を含む。少なくとも１本の枝状部は、図柄で覆われ得る。全ての枝状部はこの中央部に固定されている。全ての枝状部は、図柄で覆われ得る。第２のシートは、剛性または非剛性の多角形中央部用のハウジングを提供するように、第１のシートに一部熱溶着され得る。中央部は、単一シートにも溶着されるか、または接着して接合され得、水を確保して外部に置かれ得る。その装置に容積を与えると、第１のシートおよび第２のシートが、多角形中央部の少なくとも１本の枝状部に沿って持ち上げられて、花および／または鉢植えの茎の周りを囲み、全体が固定具で適切な位置に保持される。空気および／または水が装置の上部に配置された開口部を通過できるように、全体が設計されている。少なくとも１つの把持柄が、第１のシートと第２のシートとの間の適切な位置に、この第１のシートと第２のシートとの間の熱溶着によって保持され得る。熱溶着は、把持柄および多角形中央部を適切な位置に保持する。ワイヤークランプ（１０）は、少なくとも１つの把持柄（９）に取り付けられ得、両方のシート間の熱溶着（５）によって多角形または円形の中央部と適切な位置で保持される。
【００２５】
本発明は、第１のシート（１）、中央部（２）、および第２のシート（４）を含む花束または鉢植えを展示するための装置に関し得、前記中央部（２）が第１のシート（１）と第２のシート（４）との間に挿入されており、前記第１のシート（１）が前記第２のシート（４）に重ねられていて、前記装置が、中央部が中心体（２Ａ）およびその中心体（２Ａ）に固定された少なくとも２本の折り畳み式枝状部（３）を含むこと、ならびに前記装置の前記少なくとも２本の折り畳み式枝状部（３）が、形成時に、装置が花束を展示することを意図している場合に、円錐形を採用し得るか、または前記装置の前記少なくとも２本の枝状部（３）が、形成時に、装置が鉢植えを展示することを意図している場合に、Ｖ字形を採用し得るかのいずれかであることを特徴とする。
【００２６】
本発明は、第１のシート（１）、中央部（２）、および第２のシート（４）を含む、花束または鉢植えを展示するための装置に関し、前記中央部（２）が第１のシート（１）と第２のシート（４）との間に挿入されており、前記第１のシート（１）が前記第２のシート（４）に重ねられていて、前記装置が、中央部が中心体（２Ａ）およびその中心体（２Ａ）に固定された少なくとも２本の折り畳み式枝状部（３）を含むこと、ならびにその装置に容積を与えるときに、中心体（２Ａ）と前記少なくとも２本の折り畳み式枝状部（３）との間に形成された角度が、花束を展示するための装置の場合には９０°未満であるか、または、鉢植えを展示するための装置の場合には９０°以上であるかのいずれかであることを特徴とする。
【００２７】
本発明の装置はまた、前記少なくとも２本の折り畳み式枝状部（３）が台形状であり、かつ、下端部（３Ａ）および上端部（３Ｂ）を有し、下端部（３Ａ）が中心体（２Ａ）に固定されており、上端部（３Ｂ）が、中心体（２Ａ）から最も離れている、前記少なくとも２本の折り畳み式枝状部（３）の部分であるとして画定されていること、ならびに下端部（３Ａ）が上端部（３Ｂ）より広いことも特徴とし得る。
【００２８】
本発明の装置は、中央部（２）が、少なくとも２、３、４、５、６、７、８、９、１０、１１、１２、１３、１４、１５、２０、２５、３０、４０、５０またはさらに多くの折り畳み式枝状部（３）を含むことも特徴とし得る。
【００２９】
第２の実施形態では、本発明の花束および鉢植えを展示するための装置は、単一シート（１）および中央部（２）を含み得、前記中央部（２）はシート（１）の外面、すなわち、水または植木鉢に接触していないシート（１）の面に溶着されている。従来技術と比較して、本解決策の利点は、特に、プラスチック部よりも安価である非耐水性ボール紙のクロスが使用可能なことである。シートに溶着されたクロスは、中央部のより良い安定性および剛性を可能にする。第１の実施形態の特性は、第２の実施形態にも適用される。
【図１】
2014514916.tif 000003
【図２】
2014514916.tif 000004
【図３】
2014514916.tif 000005
【図４】
2014514916.tif 000006
【図５】
2014514916.tif 000007
【図６】
2014514916.tif 000008
【図７】
2014514916.tif 000009
【図８】
2014514916.tif 000010
【図９】
2014514916.tif 000011
【図１０】
2014514916.tif 000012
【図１１】
2014514916.tif 000013
【図１２】
2014514916.tif 000014
【図１３】
2014514916.tif 000015
【図１４】
2014514916.tif 000016
【図１５】
2014514916.tif 000017
【図１６】
2014514916.tif 000018
【図１７】
2014514916.tif 000019
【図１８】
2014514916.tif 000020
【図１９】
2014514916.tif 000021
【図２０】
2014514916.tif 000022
【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
第１のシート（１）と、中央部（２）と、第２のシート（４）とを備え、前記中央部（２）が前記第１のシート（１）と前記第２のシート（４）との間に挿入されており、前記第１のシート（１）が前記第２のシート（４）に重ねられている、花束または鉢植えを展示するための装置であって、
前記中央部が中心体（２Ａ）と、前記中心体（２Ａ）に固定された少なくとも８本の折り畳み式枝状部（３）とを含み、
前記装置に容積を与えると、前記中心体（２Ａ）と前記少なくとも８本の折り畳み式枝状部（３）との間で形成される角度が、
花束を展示するための装置の場合は９０°未満であり、また
鉢植えを展示するための装置の場合は９０°以上である
ことを特徴とする装置。
【請求項２】
前記少なくとも８本の折り畳み式枝状部（３）が下端部（３Ａ）と上端部（３Ｂ）とを有し、前記下端部（３Ａ）が前記中心体（２Ａ）に固定されており、かつ前記上端部（３Ｂ）が、前記中心体（２Ａ）から最も遠い、前記少なくとも８本の枝状部（３）の部分として画定されており、
前記下端部（３Ａ）が前記上端部（３Ｂ）よりも幅が広い
ことを特徴とする、請求項１に記載の装置。
【請求項３】
前記少なくとも８本の枝状部（３）が台形状であることを特徴とする、請求項１に記載の装置。
【請求項４】
前記中心体（２Ａ）が多角形または円形であることを特徴とする、請求項１に記載の装置。
【請求項５】
前記中央部が非剛性および非耐水性の材料で作製されていることを特徴とする、請求項１に記載の装置。
【請求項６】
前記第１のシート（１）および前記第２のシート（４）が半透明または非半透明の耐水性シートであることを特徴とする、請求項１に記載の装置。
【請求項７】
前記第１のシート（１）および前記第２のシート（４）が半透明または非半透明の非耐水性シートであることを特徴とする、請求項１に記載の装置。
【請求項８】
前記枝状部（３）が図柄で覆われ得ることを特徴とする、請求項１に記載の装置。
【請求項９】
前記中央部（２）のためのハウジング（６）を提供するように、前記第２のシート（４）が、前記第１のシート（１）に一部溶着（５）されていることを特徴とする、請求項１に記載の装置。
【請求項１０】
前記第２のシート（４）が、前記中央部（２）の周囲全体に沿って、前記第１のシート（１）に完全に溶着（５）されていることを特徴とする、請求項１に記載の装置。
【請求項１１】
前記装置に容積を与えると、前記第１のシート（１）および前記第２のシート（４）が前記中央部（２）の前記少なくとも８本の枝状部（３）に沿って持ち上げられて花の茎を囲み、全体が固定具（８）で適切な位置に保持されていることを特徴とする、請求項１に記載の装置。
【請求項１２】
少なくとも１本の把持柄（９）が、前記第１のシート（１）および前記第２のシート（４）への取付けによって、適切な位置に保持されていることを特徴とする、請求項１に記載の装置。
【請求項１３】
ワイヤークランプ（１０）が、少なくとも１本の把持柄（９）に取り付けられ、かつ、熱溶着（５）によって前記多角形中央部（２）と適切な位置で保持されていることを特徴とする、請求項１２に記載の装置。
【国際調査報告】
2014514916.tif 000023
2014514916.tif 000024
2014514916.tif 000025
2014514916.tif 000026
2014514916.tif 000027